(57)【要約】【課題】  騒音レベルの増大による難聴期間に応じて再生位置を自動的に巻き戻すことができる音声再生装置を提供する。【解決手段】  音声コンテンツを保持する音声コンテンツ記憶手段と、音声コンテンツを再生する再生制御手段と、騒音レベルを検出する騒音検出手段により構成される。再生制御手段は、騒音レベルが第１閾値を上回った時点における音声コンテンツの再生位置を騒音増大位置として記憶する騒音増大位置記憶手段と、騒音レベルが第１閾値を上回ったときから第２閾値を下回るまでの時間を難聴期間として計測する難聴期間計測手段と、難聴期間に基づいて、巻戻時間を決定する巻戻時間決定手段と、難聴期間の終了時に、音声コンテンツの再生を騒音増大位置から巻戻時間だけ遡った位置まで巻き戻す巻戻再生手段とを有する。【選択図】  図５
2014123887.tif 000002
【特許請求の範囲】
【請求項１】
音声コンテンツを保持する音声コンテンツ記憶手段と、
上記音声コンテンツを再生する再生制御手段と、
騒音レベルを検出する騒音検出手段とを備え、
上記再生制御手段は、上記騒音レベルが第１閾値を上回った時点における上記音声コンテンツの再生位置を騒音増大位置として記憶する騒音増大位置記憶手段と、
上記騒音レベルが第１閾値を上回ったときから第２閾値を下回るまでの時間を難聴期間として計測する難聴期間計測手段と、
上記難聴期間に基づいて、巻戻時間を決定する巻戻時間決定手段と、
上記難聴期間の終了時に、上記音声コンテンツの再生を上記騒音増大位置から上記巻戻時間だけ遡った位置まで巻き戻す巻戻再生手段とを有することを特徴とする音声再生装置。
【請求項２】
上記巻戻時間決定手段は、上記難聴期間が長いほど上記巻戻時間を長くすることを特徴とする請求項１に記載の音声再生装置。
【請求項３】
上記巻戻再生手段は、前回の巻戻再生の開始位置を今回の巻戻再生における開始位置の下限とすることを特徴とする請求項２に記載の音声再生装置。
【請求項４】
上記再生制御手段は、上記騒音レベルを第１閾値と比較した比較結果に基づいて、上記音声コンテンツの再生を一時停止させる一時停止手段を有することを特徴とする請求項１〜３のいずれかに記載の音声再生装置。
【請求項５】
加速度を検出する加速度検出手段を備え、
上記一時停止手段は、上記騒音レベルを第１閾値と比較した比較結果と、上記加速度の大きさを判定閾値と比較した比較結果とに基づいて、上記音声コンテンツの再生を一時停止させることを特徴とする請求項４に記載の音声再生装置。
【発明の詳細な説明】
【技術分野】
【０００１】
本発明は、音声再生装置に係り、さらに詳しくは、音声コンテンツを再生する音声再生装置の改良に関する。
【背景技術】
【０００２】
音声再生装置には、報道番組の内容を音声で伝える音声ニュースや、書籍の内容を音声で伝える音声ブックをインターネットなどの通信ネットワーク上のサーバー装置からダウンロードして再生するものがある。ダウンロードした音声ニュースや音声ブックといった音声コンテンツは、メモリ内に格納され、音声コンテンツの再生中に、周囲の騒音が大きくなり、聞き漏らしが生じれば、ユーザが所定の操作を行うことにより、再生位置を任意に巻き戻すことができる。
【０００３】
しかしながら、周囲の騒音が増大して聞き取り難くなるごとに巻戻しの操作を行うのは煩雑であるという問題があった。特に、音声再生装置を携帯し、ジョギングやウォーキングをしながら音声コンテンツを聴取するような場合、立ち止まって音声再生装置を操作するのは極めて煩わしいという問題があった。
【０００４】
そこで、騒音レベルを検出し、騒音レベルが一定値を上回れば、音声コンテンツの再生を一時停止させ、その後に騒音レベルが一定値を下回れば、音声コンテンツの再生を自動的に再開させる音声再生装置が提案されている（例えば、特許文献１）。この特許文献１には、音声コンテンツの再生を再開させる際に、再生位置を一定時間だけ巻き戻すことや、音量が無音レベルの位置、或いは、ユーザが予め指定した位置まで巻き戻すことが記載されている。
【先行技術文献】
【特許文献】
【０００５】
【特許文献１】特開２００６−２９５６６９号公報
【特許文献２】特開２０１２−５８３５５号公報
【発明の概要】
【発明が解決しようとする課題】
【０００６】
上述した様な従来の音声再生装置では、騒音レベルの増大によって再生が一時停止した期間にかかわらず、再生位置の巻戻しが行われる。つまり、予め定められた一定時間だけ巻戻しが行われ、或いは、予め定められた再生位置まで巻戻しが行われる。このため、一時停止の期間が短い場合には巻戻しが冗長になる一方、一時停止の期間が長い場合には、巻戻しが不十分になるという問題があった。特に、停止期間が長ければ、一時停止前のコンテンツ内容を忘れてしまう場合があり、巻戻しが不十分であれば、再度巻き戻さなければならず、不便であった。
【０００７】
本発明は、上記事情に鑑みてなされたものであり、騒音レベルの増大による難聴期間に応じて再生位置を自動的に巻き戻すことができる音声再生装置を提供することを目的とする。特に、難聴期間が短い場合に、巻戻しが冗長になるのを抑制することができ、また、難聴期間が長い場合に、巻戻しが不十分になるのを抑制することができる音声再生装置を提供することを目的とする。
【課題を解決するための手段】
【０００８】
本発明による音声再生装置は、音声コンテンツを保持する音声コンテンツ記憶手段と、上記音声コンテンツを再生する再生制御手段と、騒音レベルを検出する騒音検出手段とを備え、上記再生制御手段が、上記騒音レベルが第１閾値を上回った時点における上記音声コンテンツの再生位置を騒音増大位置として記憶する騒音増大位置記憶手段と、上記騒音レベルが第１閾値を上回ったときから第２閾値を下回るまでの時間を難聴期間として計測する難聴期間計測手段と、上記難聴期間に基づいて、巻戻時間を決定する巻戻時間決定手段と、上記難聴期間の終了時に、上記音声コンテンツの再生を上記騒音増大位置から上記巻戻時間だけ遡った位置まで巻き戻す巻戻再生手段とを有するように構成される。
【０００９】
この様な構成によれば、音声コンテンツを保持し、騒音レベルが第１閾値を上回った時点における再生位置を騒音増大位置として記憶するので、騒音増大位置を起点として巻き戻すことができる。また、難聴期間に基づいて巻戻再生時の巻戻時間を決定し、難聴期間の終了時に音声コンテンツの再生を騒音増大位置から巻戻時間だけ遡った位置まで巻き戻すので、騒音レベルの増大による難聴期間に応じて再生位置を自動的に巻き戻すことができる。
【発明の効果】
【００１０】
本発明による音声再生装置では、騒音レベルの増大による難聴期間に応じて再生位置を自動的に巻戻すことができる。特に、難聴期間が長いほど巻戻時間を長くすることにより、難聴期間が短い場合に、巻戻しが冗長になるのを抑制することができ、また、難聴期間が長い場合に、巻戻しが不十分になるのを抑制することができる。
【図面の簡単な説明】
【００１１】
【図１】本発明の実施の形態による音声再生装置１の一構成例を示した斜視図である。
【図２】図１の音声再生装置１内の機能構成の一例を示したブロック図である。
【図３】図２の音声再生装置１の動作の一例を示した図であり、騒音レベルの時間的変化と、難聴期間ＴＮの対応が異なる２つの再生制御Ａ，Ｂが示されている。
【図４】図２の音声再生装置１の動作の一例を示した図であり、基準位置Ｔｃｂ１及びＴｃｂ２と、開始位置Ｔｃｓ１及びＴｃｓ２との対応関係が示されている。
【図５】図２の主制御部２０の構成例を示したブロック図である。
【図６】図５の主制御部２０における音声コンテンツの再生時の動作の一例を示したフローチャートである。
【図７】図５の主制御部２０における音声コンテンツの再生時の動作の一例を示したフローチャートである。
【発明を実施するための形態】
【００１２】
＜音声再生装置１＞
図１は、本発明の実施の形態による音声再生装置１の一構成例を示した斜視図である。この音声再生装置１は、移動体通信網を利用して通話を行うことができる携帯電話機であり、タッチパネル１１、受話用のスピーカ１２、送話用のマイクロホン１３及び操作キー１４ａ〜１４ｃを備えた端末本体１０と、騒音検出用のマイクロホン１６を備えたヘッドホン１５により構成されている。
【００１３】
端末本体１０は、薄型で縦長の直方体形状からなり、タッチパネル１１、スピーカ１２、マイクロホン１３及び操作キー１４ａ〜１４ｃは、筐体前面に配置されている。また、スピーカ１２は、端末本体１０の長手方向の一方の端部に配置され、マイクロホン１３及び操作キー１４ａ〜１４ｃは、他方の端部に配置されている。
【００１４】
タッチパネル１１は、表示画面を有する表示装置と、表示画面に対するタッチ操作を検出する操作入力装置により構成される。スピーカ１２は、受話音を出力するための音声出力装置である。マイクロホン１３は、送話音を入力するための音声入力装置である。操作キー１４ａ〜１４ｃは、各種機能が予め割り当てられ、ユーザの押下操作により、割当機能を実行するための物理キーである。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００１５】
ヘッドホン１５は、音声コンテンツの再生時に用いられる音声出力装置であり、端末本体１０から出力された音声信号をスピーカを用いて可聴音に変換する。このヘッドホン１５は、２つのスピーカをユーザの両方の耳にそれぞれ当てるステレオタイプのヘッドホンであり、伝送ケーブルを介して端末本体１０と着脱可能に接続されている。
【００１６】
マイクロホン１６は、騒音レベルを検出するための音声入力装置であり、ヘッドホン１５の近傍における騒音の音圧レベルを検出することができる。なお、端末本体１０とヘッドホン１５との接続は、近距離無線通信を利用するものであっても良い。
【００１７】
この音声再生装置１には、音声ニュースや音声ブックなどの様々な音声コンテンツが保持され、所定の操作を行うことにより、音声コンテンツの一つを再生対象として選択し、音声コンテンツの再生を開始させ、或いは、再生を終了させることができる。
【００１８】
図２は、図１の音声再生装置１内の機能構成の一例を示したブロック図である。この音声再生装置１は、タッチパネル１１、スピーカ１２、マイクロホン１３，１６、ヘッドホン１５、主制御部２０、セルラー通信部２１、操作部２２、音声入力部２３、加速度センサ２４、表示制御部２５、音声出力部２６、メモリ２７及び騒音検出部２８により構成される。
【００１９】
主制御部２０は、通話処理や音声コンテンツの再生制御を行う。セルラー通信部２１は、セルラー基地局を介して外部機器と通信し、通信相手と通話を行うための信号処理部である。操作部２２は、タッチパネル１１に対するタッチ操作や、操作キー１４ａ〜１４ｃの押下操作を受け付け、操作信号を生成する。音声入力部２３は、マイクロホン１３により集音された音声信号を増幅し、デジタルデータに変換して主制御部２０へ出力する。
【００２０】
表示制御部２５は、タッチパネル１１を制御し、ホーム画面、メニュー画面、音声コンテンツの再生用の画面などを表示する。音声出力部２６は、主制御部２０から出力された音声データをアナログ信号に変換して駆動信号を生成し、スピーカ１２又はヘッドホン１５へ出力する。
【００２１】
メモリ２７には、制御プログラムや音声コンテンツが保持される。例えば、インターネット上のサーバー装置からダウンロードした音声コンテンツがメモリ２７内に格納されている。また、音声コンテンツは、再生時の読出し順序やビットレートが規定された多数の音声データからなり、所定のフォーマットで圧縮された音声ファイルとして格納されている。騒音検出部２８は、マイクロホン１６により集音された音声信号に基づいて、騒音レベルを検出し、その検出結果を主制御部２０へ出力する。
【００２２】
加速度センサ２４は、加速度を検出し、その検出結果を主制御部２０へ出力する検出装置であり、ユーザが静止状態にあるか否かを判別するのに用いられる。例えば、可動部の位置変化を静電容量の変化によって検出する静電容量型センサが加速度センサ２４として用いられる。
【００２３】
この音声再生装置１では、騒音レベルが第１閾値Ｌｂを上回り、かつ、加速度の大きさが所定の判定閾値Ｔｈ以下である場合に、音声コンテンツの再生を一時停止させる再生制御が行われる。また、騒音レベルが第１閾値Ｌｂを上回ったときから第２閾値Ｌｓ（Ｌｓ≦Ｌｂ）を下回るまでの時間を難聴期間ＴＮとして計測し、難聴期間ＴＮの終了時に、音声コンテンツの再生を騒音増大時の再生位置よりも前に巻き戻す巻戻再生が行われる。この巻戻再生は、一時停止中であるか否かにかかわらず、騒音レベルが第２閾値Ｌｓを下回った時点で実行される。なお、第２閾値Ｌｓは、第１閾値Ｌｂと同じであっても良い。
【００２４】
＜難聴期間ＴＮ＞
図３は、図２の音声再生装置１の動作の一例を示した図であり、横軸を経過時間ｔとして騒音レベルの時間的変化と、難聴期間ＴＮの対応が異なる２つの再生制御Ａ，Ｂが示されている。この図では、Ｌｓ＜Ｌｂの場合が示されている。騒音レベルは、時刻ｔｂにおいて第１閾値Ｌｂを上回り、その後、時刻ｔｓにおいて第２閾値Ｌｓを下回っている。
【００２５】
難聴期間ＴＮは、音声コンテンツの再生を継続したとしても、騒音の影響によって音声コンテンツの内容が聞き取り難くなる期間であり、ＴＮ＝（ｔｓ−ｔｂ）により求められる。再生制御Ａ，Ｂは、コンテンツ時間Ｔｃに対応づけて示されている。コンテンツ時間Ｔｃは、音声コンテンツの先頭を下限とし、末尾を上限とする時間軸上の相対位置である。
【００２６】
再生制御Ａは、難聴期間ＴＮの開始時点、すなわち、騒音レベルが第１閾値Ｌｂを上回った時点（時刻ｔｂ）で、音声コンテンツの再生を一時停止させ、難聴期間ＴＮの終了時点、すなわち、騒音レベルが第２閾値Ｌｓを下回った時点（時刻ｔｓ）で、当該音声コンテンツの再生を再開する。
【００２７】
騒音レベルが第１閾値Ｌｂを上回った時点における再生位置Ｔｃｂは、騒音増大位置として記録される。音声コンテンツの再生を再開する際は、再生位置Ｔｃｂから所定の巻戻時間α（α≧０）だけ遡った位置（Ｔｃｂ−α）を開始位置Ｔｃｓとして再生を開始する。この場合、巻戻しの起点は、再生位置Ｔｃｂである。巻戻時間αは、難聴期間ＴＮの長さに応じて定められる。
【００２８】
一方、再生制御Ｂは、難聴期間ＴＮ中も音声コンテンツの再生を継続し、難聴期間ＴＮの終了時点で、当該音声コンテンツの再生位置（Ｔｃｂ＋ＴＮ）を再生位置Ｔｃｂから巻戻時間αだけ遡った位置（Ｔｃｂ−α）まで巻き戻す。つまり、騒音レベルが第２閾値Ｌｓを下回った時点で時間（ＴＮ＋α）だけ巻き戻され、位置（Ｔｃｂ−α）を開始位置Ｔｃｓとして音声コンテンツの再生が開始される。この場合、巻戻しの起点は、再生位置（Ｔｃｂ＋ＴＮ）である。
【００２９】
＜基準位置Ｔｃｂ１，Ｔｃｂ２と開始位置Ｔｃｓ１，Ｔｃｓ２＞
図４は、図２の音声再生装置１の動作の一例を示した図であり、前回の巻戻再生における基準位置Ｔｃｂ１及び開始位置Ｔｃｓ１と、今回の巻戻再生における基準位置Ｔｃｂ２及び開始位置Ｔｃｓ２との対応関係が示されている。この図では、横軸をコンテンツ時間Ｔｃとし、騒音増大位置（Ｔｃｂ１，Ｔｃｂ２）で再生を一時停止させた場合が示されている。
【００３０】
図中の（ａ）には、α２＜（Ｔｃｂ２−Ｔｃｓ１）の場合が示され、（ｂ）には、α２≧（Ｔｃｂ２−Ｔｃｓ１）の場合が示されている。基準位置Ｔｃｂ１は、前回の再生時における騒音増大位置であり、この基準位置を起点として巻戻時間α１だけ巻き戻される。つまり、前回の巻戻再生の開始位置Ｔｃｓ１＝（Ｔｃｂ１−α１）から今回の再生が開始される。巻戻時間α１は、前回の巻戻再生時における難聴期間ＴＮの長さに応じて決定される。
【００３１】
また、基準位置Ｔｃｂ２は、今回の再生時における騒音増大位置であり、この基準位置を起点として巻戻時間α２だけ巻き戻される。α２＜（Ｔｃｂ２−Ｔｃｓ１）の場合、今回の巻戻再生における開始位置Ｔｃｓ２＝（Ｔｃｂ２−α２）であり、前回の巻戻再生の開始位置Ｔｃｓ１よりも後の再生位置である。
【００３２】
一方、α２≧（Ｔｃｂ２−Ｔｃｓ１）の場合には、再生位置（Ｔｃｂ２−α２）を今回の巻戻再生の開始位置Ｔｃｓ２とすれば、前回の巻戻再生の開始位置Ｔｃｓ１よりも前に遡ってしまうことになる。そこで、この様な場合には、前回の巻戻再生の開始位置Ｔｃｓ１を今回の巻戻再生における開始位置Ｔｃｓ２の下限とする再生制御が行われる。つまり、前回の巻戻再生の開始位置Ｔｃｓ１よりも前に遡って巻き戻すことはせず、今回の巻戻再生における開始位置Ｔｃｓ２は、Ｔｃｓ２＝Ｔｃｓ１である。
【００３３】
ここで、Ｔｃｂ２＜Ｔｃｂ１の場合、前回の再生では再生されなかった基準位置Ｔｃｂ１以降のコンテンツ内容を、今回の再生でも未聴取のまま、今回の巻戻再生（次回の再生）が生じることになる。この様な場合、本実施の形態では、前回の巻戻再生の開始位置Ｔｃｓ１を今回の巻戻再生における開始位置Ｔｃｓ２の下限とする再生制御が行われる。
【００３４】
一方、Ｔｃｂ１≦Ｔｃｂ２の場合には、前回の再生において再生されなかった基準位置Ｔｃｂ１以降のコンテンツ内容の一部、すなわち、再生位置Ｔｃｂ１から再生位置Ｔｃｂ２までの部分を今回の再生で聴取していることになる。この様な場合には、本実施の形態では、特に下限を定めることなく、難聴期間ＴＮの長さに応じて巻戻時間α２が決定される。
【００３５】
＜主制御部２０＞
図５は、図２の主制御部２０の構成例を示したブロック図である。この主制御部２０は、静止判定部１０１、騒音増大判定部１０２、一時停止部１０３、騒音増大位置記憶部１０４、騒音減少判定部１０５、難聴期間計測部１０６、巻戻時間決定部１０７、巻戻再生部１０８及びデコード部１０９により構成される。
【００３６】
デコード部１０９は、メモリ２７から音声コンテンツを読み出してデコードし、ヘッドホン１５から再生するための音声データを生成して音声出力部２６へ出力する。デコード部１０９は、操作部２２からの再生指示に基づいて、音声コンテンツの再生を開始し、終了指示に基づいて、当該音声コンテンツの再生を終了する。
【００３７】
静止判定部１０１は、加速度センサ２４の出力に基づいて、ユーザが静止状態にあるか否かを判定し、その判定結果を一時停止部１０３へ出力する。静止状態にあるか否かは、加速度の大きさを判定閾値Ｔｈと比較することによって判別される。
【００３８】
騒音増大判定部１０２は、騒音検出部２８により検出された騒音レベルを第１閾値Ｌｂと比較し、その比較結果に基づいて、騒音レベルが第１閾値Ｌｂを上回ったか否かを判定し、その判定結果を一時停止部１０３及び難聴期間計測部１０６へ出力する。
【００３９】
一時停止部１０３は、騒音レベルを第１閾値Ｌｂと比較した比較結果と、加速度の大きさを判定閾値Ｔｈと比較した比較結果とに基づいて、音声コンテンツの再生を一時停止させる。具体的には、騒音レベルが第１閾値Ｌｂを上回った際に、加速度の大きさが判定閾値Ｔｈ以下であれば、再生を一時停止させるべくデコード部１０９を制御する。
【００４０】
騒音増大位置記憶部１０４には、騒音レベルが第１閾値Ｌｂを上回った時点における音声コンテンツの再生位置が騒音増大位置（基準位置Ｔｃｂ）として記憶される。騒音減少判定部１０５は、騒音検出部２８により検出された騒音レベルを第２閾値Ｌｓと比較し、その比較結果に基づいて、騒音レベルが第２閾値Ｌｓを下回ったか否かを判定し、その判定結果を難聴期間計測部１０６及び巻戻再生部１０８へ出力する。
【００４１】
難聴期間計測部１０６は、騒音レベルが第１閾値Ｌｂを上回ったときから第２閾値Ｌｓを下回るまでの時間を難聴期間ＴＮとして計測する。巻戻時間決定部１０７は、難聴期間ＴＮに基づいて、巻戻時間αを決定する。この巻戻時間決定部１０７は、難聴期間ＴＮが長いほど巻戻時間αを長くする。
【００４２】
巻戻再生部１０８は、難聴期間ＴＮの終了時に、音声コンテンツの再生を基準位置Ｔｃｂから巻戻時間αだけ遡った位置まで巻き戻す巻戻再生を実行すべくデコード部１０９を制御する。この巻戻再生部１０８は、Ｔｃｂ２＜Ｔｃｂ１である場合に、前回の巻戻再生の開始位置Ｔｃｓ１を今回の巻戻再生における開始位置Ｔｃｓ２の下限とする。
【００４３】
図６及び図７のステップＳ１０１〜Ｓ１２１は、図５の主制御部２０における音声コンテンツの再生時の動作の一例を示したフローチャートである。まず、主制御部２０は、操作部２２において再生指示が受け付けられれば、各種パラメータを初期化し、音声コンテンツの再生を開始する（ステップＳ１０１，Ｓ１０２）。
【００４４】
例えば、時刻データｔｂ，ｔｓをリセットし、基準位置Ｔｃｂ１，Ｔｃｂ２及び開始位置Ｔｃｓ１，Ｔｃｓ２を初期値Ｔｃ０とする。音声コンテンツの再生は、初期値Ｔｃ０を開始位置として開始される。この初期値Ｔｃ０は、音声コンテンツの先頭であっても良いし、前回の終了指示時における再生位置であっても良い。
【００４５】
次に、主制御部２０は、騒音レベルを確認し、騒音レベルが第１閾値Ｌｂを上回っていれば（ステップＳ１０３，Ｓ１０４）、その時点の再生位置を基準位置Ｔｃｂ２として記録するとともに、現在時刻ｔを時刻ｔｂとして記録する（ステップＳ１０５）。そして、主制御部２０は、加速度を確認し、ユーザが静止状態であれば（ステップＳ１０６，Ｓ１０７）、音声コンテンツの再生を一時停止させる（ステップＳ１０８）。
【００４６】
次に、主制御部２０は、騒音レベルを確認し、騒音レベルが第２閾値Ｌｓを下回っていれば（ステップＳ１０９，Ｓ１１０）、現在時刻ｔを時刻ｔｓとして記録する（ステップＳ１１１）。そして、主制御部２０は、時刻ｔｂ，ｔｓから難聴期間ＴＮを算出し、難聴期間ＴＮに応じて巻戻時間αを決定する（ステップＳ１１２，Ｓ１１３）。
【００４７】
例えば、難聴期間ＴＮが１秒未満である場合に、α＝２秒とし、１≦ＴＮ＜１０である場合に、α＝ＴＮ×２秒とし、難聴期間ＴＮが１０秒以上である場合に、α＝２０秒とする。
【００４８】
次に、主制御部２０は、基準位置Ｔｃｂ２がＴｃｂ２≧Ｔｃｂ１を満たす場合、前回の巻戻再生における開始位置Ｔｃｓ１を初期化する（ステップＳ１１４，Ｓ１１５）。すなわち、主制御部２０は、開始位置Ｔｃｓ１をＴｃｓ１＝０とする。
【００４９】
次に、主制御部２０は、再生位置（Ｔｃｂ２−α）が（Ｔｃｂ２−α）≧Ｔｃｓ１を満たす場合、当該再生位置（Ｔｃｂ２−α）を今回の巻戻再生における開始位置Ｔｃｓ２とする（ステップＳ１１６，Ｓ１１７）。一方、主制御部２０は、再生位置（Ｔｃｂ２−α）が（Ｔｃｂ２−α）≧Ｔｃｓ１を満たさない場合、前回の巻戻再生の開始位置Ｔｃｓ１を今回の巻戻再生における開始位置Ｔｃｓ２とする（ステップＳ１１６，Ｓ１２１）。
【００５０】
次に、主制御部２０は、開始位置Ｔｃｓ１、基準位置Ｔｃｂ１を更新し、巻戻再生を実行する（ステップＳ１１８，Ｓ１１９）。ステップＳ１０３からステップＳ１１９までの処理手順は、操作部２２において終了指示が受け付けられるまで繰り返され、終了指示が受け付けられれば、音声コンテンツの再生を終了し、この処理を終了する（ステップＳ１２０）。
【００５１】
本実施の形態によれば、音声コンテンツを保持し、騒音レベルが第１閾値Ｌｂを上回った時点における再生位置を騒音増大位置（基準位置Ｔｃｂ）として記憶するので、騒音増大位置を起点として巻き戻すことができる。また、難聴期間ＴＮに基づいて巻戻再生時の巻戻時間αを決定し、難聴期間ＴＮの終了時に音声コンテンツの再生を騒音増大位置から巻戻時間αだけ遡った位置まで巻き戻すので、騒音レベルの増大による難聴期間ＴＮに応じて再生位置を自動的に巻き戻すことができる。
【００５２】
特に、難聴期間ＴＮが短い場合に、巻戻しが冗長になるのを抑制することができ、また、難聴期間ＴＮが長い場合に、巻戻しが不十分になるのを抑制することができる。また、前回の巻戻再生の開始位置Ｔｃｓ１を今回の巻戻再生における開始位置Ｔｃｓ２の下限とするので、騒音増大による再生の一時停止が短い時間間隔で繰り返された場合に、巻戻再生の開始位置Ｔｃｓが際限なく遡ってしまうのを防止することができる。
【００５３】
なお、本実施の形態では、音声再生装置１が携帯電話機である場合の例について説明したが、本発明は、その様な携帯通信端末の他に、タブレット端末、ＰＤＡ（Personal Digital Assistants）などの携帯情報端末、或いは、携帯型オーディオプレーヤーなどに好適である。また、据置型の音声再生装置にも本発明は適用することができる。
【００５４】
また、本実施の形態では、騒音レベルを第１閾値Ｌｂと比較した比較結果と、加速度の大きさを判定閾値Ｔｈと比較した比較結果とに基づいて、音声コンテンツの再生を一時停止させる場合の例について説明したが、本発明は、一時停止の条件をこれに限定するものではない。例えば、騒音レベルが第１閾値Ｌｂを上回った時点で、加速度の大きさにかかわらず、再生を一時停止させるような構成であっても良い。また、この様な一時停止の再生制御は行わず、難聴期間ＴＮ中、音声コンテンツの再生を継続させるような構成であっても良い。
【００５５】
また、本実施の形態では、Ｔｃｂ２＜Ｔｃｂ１であれば、前回の巻戻再生の開始位置Ｔｃｓ１を今回の巻戻再生における開始位置Ｔｃｓ２の下限とする場合の例について説明したが、本発明は、Ｔｃｂ２＜Ｔｃｂ１であるか否かにかかわらず、前回の巻戻再生の開始位置Ｔｃｓ１を今回の巻戻再生における開始位置Ｔｃｓ２の下限とするような構成であっても良い。
【００５６】
本発明の実施の形態による音声再生装置の構成と対応する作用効果とを以下に整理してまとめる。
第１の本発明による音声再生装置は、音声コンテンツを保持するメモリ２７と、音声コンテンツを再生する主制御部２０と、騒音レベルを検出する騒音検出部２８とを備え、主制御部２０が、騒音レベルが第１閾値Ｔｈ１を上回った時点における音声コンテンツの再生位置を騒音増大位置Ｔｃ１として記憶する騒音増大位置記憶部１０４と、騒音レベルが第１閾値Ｔｈ１を上回ったときから第２閾値Ｔｈ２を下回るまでの時間を難聴期間ＴＮとして計測する難聴期間計測部１０６と、難聴期間ＴＮに基づいて、巻戻時間αを決定する巻戻時間決定部１０７と、難聴期間ＴＮの終了時に、音声コンテンツの再生を騒音増大位置Ｔｃ１から巻戻時間αだけ遡った位置まで巻き戻す巻戻再生部１０８とを有するように構成される。
【００５７】
この様な構成によれば、音声コンテンツを保持し、騒音レベルが第１閾値Ｌｂを上回った時点における再生位置を騒音増大位置として記憶するので、騒音増大位置を起点として巻き戻すことができる。また、難聴期間ＴＮに基づいて巻戻再生時の巻戻時間αを決定し、難聴期間ＴＮの終了時に音声コンテンツの再生を騒音増大位置から巻戻時間αだけ遡った位置まで巻き戻すので、騒音レベルの増大による難聴期間ＴＮに応じて再生位置を自動的に巻き戻すことができる。
【００５８】
第２の本発明による音声再生装置は、上記構成に加え、巻戻時間決定部１０７が、難聴期間ＴＮが長いほど巻戻時間αを長くするように構成される。この様な構成によれば、難聴期間ＴＮが短い場合に、巻戻しが冗長になるのを抑制することができ、また、難聴期間ＴＮが長い場合に、巻戻しが不十分になるのを抑制することができる。
【００５９】
第３の本発明による音声再生装置は、上記構成に加え、巻戻再生部１０８が、前回の巻戻再生の開始位置Ｔｃｓ１を今回の巻戻再生における開始位置Ｔｃｓ２の下限とするように構成される。この様な構成によれば、騒音増大による再生の一時停止が短い時間間隔で繰り返された場合に、巻戻再生の開始位置Ｔｃｓが際限なく遡ってしまうのを防止することができる。
【００６０】
第４の本発明による音声再生装置は、上記構成に加え、主制御部２０が、騒音レベルを第１閾値Ｌｂと比較した比較結果に基づいて、音声コンテンツの再生を一時停止させる一時停止部１０３を有するように構成される。この様な構成によれば、騒音レベルの増大に応じて音声コンテンツの再生を自動的に一時停止させることができる。
【００６１】
第５の本発明による音声再生装置は、上記構成に加え、加速度を検出する加速度センサ２４を備え、一時停止部１０３が、騒音レベルを第１閾値Ｌｂと比較した比較結果と、加速度の大きさを判定閾値Ｔｈと比較した比較結果とに基づいて、音声コンテンツの再生を一時停止させるように構成される。この様な構成によれば、騒音レベルの増大及び加速度の大きさに応じて音声コンテンツの再生を自動的に一時停止させることができる。
【符号の説明】
【００６２】
１  音声再生装置
１０  端末本体
１１  タッチパネル
１２  受話用のスピーカ
１３  送話用のマイクロホン
１４ａ〜１４ｃ  操作キー
１５  ヘッドホン
１６  騒音検出用のマイクロホン
２０  主制御部
２１  セルラー通信部
２２  操作部
２３  音声入力部
２４  加速度センサ
２５  表示制御部
２６  音声出力部
２７  メモリ
２８  騒音検出部
１０１  静止判定部
１０２  騒音増大判定部
１０３  一時停止部
１０４  騒音増大位置記憶部
１０５  騒音減少判定部
１０６  難聴期間計測部
１０７  巻戻時間決定部
１０８  巻戻再生部
１０９  デコード部
ＴＮ  難聴期間
Ｔｃ１  騒音増大位置
Ｔｃｂ  前回の巻戻再生における基準位置
Ｔｃｓ  前回の巻戻再生における開始位置
【図１】
2014123887.tif 000003
【図２】
2014123887.tif 000004
【図３】
2014123887.tif 000005
【図４】
2014123887.tif 000006
【図５】
2014123887.tif 000007
【図６】
2014123887.tif 000008
【図７】
2014123887.tif 000009